(57)【要約】【課題】シーブのサイド磨耗の状況を、簡易かつ確実に定量的な目安を用いて目視観察できるようにし、これにより、取替時期を簡易かつ確実に判別することができるシーブを提供する。【解決手段】環状の本体１１からなり、この本体１１の外縁部に、ワイヤーが摺動する底部１４およびこの底部１４に連続する二つの側壁部１５−１、１５−２からなる溝１３を構成するシーブ股部１２を有するシーブ１０である。一方の側壁部１５−２に対応する領域であってかつシーブ股部１２の外面１２ａから所定の深さ位置までの領域１７に、シーブ股部１２とは異なる部材からなるとともに、側壁部１５−２の色彩とは目視で識別可能な色彩を有する磨耗識別部材１６が埋設されている。磨耗識別部材１６はシーブ股部１２の円周方向へ所定の角度間隔で、このシーブ股部１２の全周にわたって複数埋設されている。側壁部１５−２は、二つの側壁部のうちワイヤー巻取りドラムの端部に近い側に位置する側壁部である。【選択図】図２
2010159094.tif 000002
【特許請求の範囲】
【請求項１】
環状の本体からなり、該本体の外縁部に、ワイヤーが摺動する底部および該底部に連続する二つの側壁部からなる溝を構成するシーブ股部を有するシーブであって、前記側壁部に対応する領域であってかつ前記シーブ股部の外面から所定の深さ位置までの領域に埋設された、前記シーブ股部とは異なる部材からなる磨耗識別部材を備えることを特徴とするシーブ。
【請求項２】
前記磨耗識別部材は、前記シーブ股部の円周方向の全部または一部に埋設される請求項１に記載されたシーブ。
【請求項３】
前記磨耗識別部材は、前記シーブ股部の円周方向へ所定の角度間隔で、該シーブ股部の全周にわたって複数埋設される請求項１に記載されたシーブ。
【請求項４】
前記磨耗識別部材は、樹脂製の部材からなる請求項１から請求項３までのいずれか１項に記載されたシーブ。
【請求項５】
前記磨耗識別部材は、前記側壁部の色彩とは目視で識別可能な色彩を有する請求項１から請求項４までのいずれか１項に記載されたシーブ。
【請求項６】
請求項１から請求項５までのいずれか１項に記載されたシーブを、ワイヤー巻取りドラムとの間でワイヤーの受け渡しを行うシーブとして備えることを特徴とするつり上げ装置。
【請求項７】
前記側壁部は、前記二つの側壁部のうち前記ワイヤー巻取りドラムの端部に近い側に存在する側壁部である請求項６に記載されたつり上げ装置。
【発明の詳細な説明】
【技術分野】
【０００１】
本発明は、シーブおよびつり上げ装置に関し、具体的には、ワイヤーが摺動する部分の磨耗状況を目視で識別することができ、これにより、取替時期を簡易かつ確実に判断することができるシーブと、このシーブを備えるつり上げ装置とに関する。
【背景技術】
【０００２】
図１は、製鉄所の工場で用いられるつり上げ装置０の構成例を示す説明図である。このつり上げ装置０は、ワイヤー巻取りドラム１と、多数枚の上部シーブ３と、多数枚の下部シーブ４と、２枚のシーブ５と、ワイヤー２とにより構成される。各シーブ３〜５は、いずれも、環状の本体からなる。この本体の外縁部には、ワイヤー２が摺動する底部とこの底部に連続する二つの側壁部からなる溝を構成するシーブ股部が設けられている。ワイヤー２はこの溝により案内される。
【０００３】
つり上げ装置０では、ワイヤー巻取りドラム１により巻き取りまたは払い出しを行われるワイヤー２は、はじめに多数枚の下部シーブ４の中央に配置される２枚のシーブ５に導かれ、この２枚のシーブ５から上部シーブ３、下部シーブ４、上部シーブ３・・・の順に順次導かれることにより、ワイヤー２の巻き取りまたは払い出しが行われる。
【０００４】
シーブ４および５は、防塵や安全性向上のために二点鎖線で示すシーブカバー６およびケーシング７により覆われる。シーブカバー６の二つの斜壁６ａには、ワイヤー２が貫通する長孔８が多数穿設されている。なお、図１では、シーブカバー６およびケーシング７は、図面を判読し易くするために透明に示す。また、図１において白抜き矢印で示す部分拡大図では、ワイヤー２、シーブカバー６、ケーシング７および長孔８を実線で、下部シーブ４は破線で、それぞれ示す。
【０００５】
つり上げ装置０では、使用に伴って、シーブ３〜５の溝がワイヤー２の摺動によって磨耗する。このため、シーブ３〜５の溝の磨耗状況は、定期的に点検され、磨耗したシーブ３〜５は交換される。特に、下部シーブ４および５の摩耗状況は、シーブカバー６の斜壁６ａに穿設された長孔８を介して外部から点検される。
【０００６】
シーブ３〜５の溝の磨耗状況の点検作業は、主に、（ａ）作業者が使用前の溝の形状をかたどった治具をシーブ３〜５の磨耗した溝に当ててこの治具とシーブ３〜５の溝との間の隙間の大きさを調べること等によってシーブ３〜５のシーブ股部の厚さを実測すること、あるいは（ｂ）作業者がシーブ３〜５の磨耗した溝を目視観察することや蝕診することによって、行われている。このように、シーブ３〜５の溝の磨耗状況の点検作業は、いわば、作業者による手作業によって、行われている。
【０００７】
この点検作業では、溝の底部の磨耗状況は、例えば、溝の開口からスケールを挿入して底部に突き当てて溝の深さを測定することにより、定量的かつ確実に点検することが可能である。図１における上部シーブ３および下部シーブ４では、ワイヤー２の摺動方向は略一定であるために溝の磨耗もほぼ左右対象に生じるので、測定が容易な溝の底部の磨耗状況を目安にすれば、上部シーブ３および下部シーブ４の取替えタイミングを、作業者の手作業による点検作業であっても、簡単かつ正確に判断することができる。
【発明の概要】
【発明が解決しようとする課題】
【０００８】
しかしながら、ワイヤー巻取りドラム１との間でワイヤー２の受け渡しを行う中心の２枚のシーブ５では、ワイヤー巻取りドラム１により巻き取りまたは払い出しの進行に伴ってワイヤー２の摺動方向が変化するため、溝の磨耗は左右対称には生じず、溝を構成する左右の側壁部のうちワイヤー巻取りドラム１の外側方向に位置する側壁部の磨耗がもう一方の側壁部の磨耗よりも著しくなる（以下、本明細書ではワイヤー巻取りドラム１の外側方向に位置する側壁部の著しい磨耗を「サイド磨耗」という。）。
【０００９】
このサイド磨耗の状況は、底部の磨耗とは異なり、スケールを挿入して定量的に測定することが困難であるので、作業者の目視観察や触診による点検作業に頼らざるを得ない。このため、サイド磨耗の状況は点検者の経験や感覚といった要素に依存するところが大きくなり、中心の２枚のシーブ５の取替えタイミングの判断が作業者ごとにまちまちになる。
【００１０】
そのため、中心の２枚のシーブ５に生じるサイド磨耗の状況を、簡易かつ確実に定量的な目安を用いて目視観察できれば、中心の２枚のシーブ５の取替えタイミングを、作業者ごとのバラツキが少なく的確に判断することが可能になる。
【００１１】
本発明の目的は、シーブのサイド磨耗の状況を、簡易かつ確実に定量的な目安を用いて目視観察できるようにし、これにより、取替時期を簡易かつ確実に判別することができるシーブと、このシーブを備えるつり上げ装置とを提供することである。
【課題を解決するための手段】
【００１２】
本発明は、環状の本体からなり、この本体の外縁部に、ワイヤーが摺動する底部およびこの底部に連続する二つの側壁部からなる溝を構成するシーブ股部を有するシーブであって、側壁部に対応する領域であってかつシーブ股部の外面から所定の深さ位置までの領域に埋設された、シーブ股部とは異なる部材からなる磨耗識別部材を備えることを特徴とするシーブである。
【００１３】
この本発明にかかるシーブは、磨耗識別部材が、（ａ）シーブ股部の円周方向の全部または一部に埋設されること、または（ｂ）シーブ股部の円周方向へ所定の角度間隔で、このシーブ股部の全周にわたって複数埋設されることが望ましい。
【００１４】
これらの本発明にかかるシーブは、磨耗識別部材が、樹脂製の部材（例えば棒材）からなることが望ましい。
これらの本発明にかかるシーブは、磨耗識別部材が、側壁部の色彩とは目視で識別可能な色彩を有することが望ましい。
【００１５】
別の観点からは、本発明は、上述した本発明にかかるシーブを、ワイヤー巻取りドラムとの間でワイヤーの受け渡しを行うシーブとして備えることを特徴とするつり上げ装置である。
【００１６】
この本発明にかかるつり上げ装置では、側壁部が、二つの側壁部のうちワイヤー巻取りドラムの端部に近い側に存在する側壁部であることが望ましい。
なお、シーブに関するものではないが、回転体の摺動面の磨耗状況の目安を観察可能にする発明として、タイヤのいわゆるスリップサインにかかる発明は広く知られており、これらの発明は、いずれもタイヤが磨耗するとタイヤ外周面とは異なる色の部位が現出するようにするものである。例えば、特開平５−２４６２１７号公報には、タイヤの外周面から所定距離内側の個所の色彩を外周面と異なる色彩に形成する発明が開示され、特開２００２−３１６５１８号公報には、タイヤの縦溝にタイヤと異なる色のリングを備える発明が開示されている。
【００１７】
また、これもシーブに関するものではないが、特開２００４−２８６０８７号公報には、被磨耗面と反対側から穿設された孔に検出用のデータキャリアを配置しておくこと（段落００６２参照）や、データキャリアに係るアンテナコイルや制御部を一体的に樹脂モールドすること（段落００８１参照）により、ブレーキシューや鉄道車輪等といった金属材料の磨耗状況を検出する発明が開示されている。
【００１８】
しかしながら、これらの発明は、いずれも、略一定かつ均一に磨耗する対象物の磨耗状況を容易に識別するためのものであるのに対し、本発明は、シーブのうちでも不均一に磨耗する特定部位の磨耗状況を容易に識別するためのものであり、これらの発明に基づいても容易に想到されるものではない。
【００１９】
なお、特開平５−２４６２１７号公報や特開２００２−３１６５１８号公報により開示された発明のように、例えばクレーンに用いるシーブにワイヤーとの摺動面に溝を形成したり、あるいはシーブを多層構造とすると、シーブが非常に煩雑で高価なものとなる。また、特開２００４−２８６０８７号公報にはサイド磨耗については一切記載されていないし、クレーン用のシーブは、ドラムと対向してワイヤーを巻取り／払い出しする方向（図１では上側）以外は通常シーブカバー６により覆われているため、データキャリアが非開口部に停止したような場合には磨耗状況を目視で調査することはできない。
【発明の効果】
【００２０】
本発明により、シーブのサイド磨耗の状況を、簡易かつ確実に定量的な目安を用いて目視観察できるようになり、これにより、取替時期を簡易かつ確実に判別することができるシーブと、このシーブを備えるつり上げ装置とを提供することができる。
【図面の簡単な説明】
【００２１】
【図１】図１は、つり上げ装置の構成例を示す説明図である。
【図２】図２は、本発明にかかるシーブの本体におけるシーブ股部を示す断面図である。
【発明を実施するための形態】
【００２２】
以下、本発明を実施するための最良の形態を、添付図面を参照しながら詳細に説明する。なお、以下の説明では、工場規模でのクレーンを想定しており、シーブやワイヤーは鋼製であるとする。
【００２３】
はじめに、本発明にかかるシーブを説明する。
図２は、本発明にかかるシーブ１０の本体１１におけるシーブ股部１２を示す断面図である。
【００２４】
このシーブ１０は、環状の本体１１からなる。この本体１１の外縁部には、シーブ股部１２が設けられている。シーブ股部１２は、摺動するワイヤーを案内するための溝部１３を構成する。溝部１３は、底部１４と、この底部１４に連続する二つの側壁部１５−１、１５−２からなる。
【００２５】
図２に示すように、本発明では、底部１４は、曲線部分のみにより構成され、この曲線部分の曲率中心Ｏの角度である中心角θが±３０°以下となる範囲として、規定される。
本発明にかかるシーブ１０は、磨耗識別部材１６を備える。磨耗識別部材１６は、一方の側壁部１５−２に対応する領域であってかつシーブ股部１２の外面１２ａから所定の深さ位置までの領域１７に埋設される。最も磨耗する位置（角度）は、クレーンの仕様や使用環境等によって異なるので、磨耗識別部材の埋設位置もこれに応じて設定される。
【００２６】
磨耗識別部材１６は、シーブ股部１２の円周方向の全部に環状に埋設されていてもよいし、または一部に断続的かつ部分的に埋設されていてもよい。磨耗識別部材１６は、シーブ股部１２の円周方向へ所定の角度間隔で、シーブ股部１２の全周にわたって複数埋設されることが望ましい。
【００２７】
磨耗識別部材１６は、少なくとも本体１１よりも磨耗し易くするために樹脂製の丸棒材により構成されることが望ましい。磨耗識別部材１６は、打ち込まれることにより埋設させることが望ましい。
【００２８】
磨耗識別部材１６は、上述したサイド磨耗が生じる摺動面に対応した角度とすべきである。クレーンの使用によって異なるが、例えば図１に示す中心の２枚のシーブ５は、図２における中心角θが４０°以上６０°以下となる範囲で大きなサイド磨耗が生じるので、この範囲の裏側に設けることが望ましい。
【００２９】
また、図１のシーブ５は、シーブカバー６により覆われており、シーブカバー６を外すことなく長孔８を介して外部から観察できるのは３０°以上４０°以下程度であり、この範囲内でも観察できるようにするために、磨耗識別部材１６は、シーブ股部１２の外面１２ａから所定の深さ位置までの領域１７に、円周方向に３０°ピッチで合計１２箇所設けられることが望ましい。
【００３０】
磨耗識別部材１６は、所定の深さまで磨耗したときに目視で観察できればよいので、形状や材質、取り付け手段は、特に限定されない。コスト的には、樹脂製の棒材を打ち込むことが最も簡便であるが、本体にネジにより固定するようにしてもよい。
【００３１】
磨耗識別部材１６として用いる樹脂棒の径は、簡単に判別できる程度であれば十分であり、シーブ１０のサイズにもよるが好ましくは４ｍｍ以上６ｍｍ以下程度である。また鋼製のシーブの場合には、シーブ自体が黒っぽいことと、また潤滑油での汚れがあっても識別可能とするために、磨耗識別部材１６である樹脂製の棒材は、摺動面の色彩とは目視で識別可能な色彩を有すること、例えば白色または高明度の色であることが望ましい。このように、磨耗識別部材１６は、シーブ股部１２とは異なる部材からなることが望ましい。
【００３２】
本発明にかかるシーブ１０は、以上のように構成される。この本発明にかかるシーブを、図１に示すワイヤー巻取りドラム１との間でワイヤー２の受け渡しを行うシーブ５として、複数備えるようにして、つり上げ装置０を構成することが望ましい。この場合に、磨耗識別部材１６を設ける側壁部１５−２は、二つの側壁部１５−１、１５−２のうちワイヤー巻取りドラムの端部に近い側に存在し、サイド磨耗が著しい側壁部である。
【００３３】
このようにして、本発明によれば、シーブのサイド磨耗の状況を、簡易かつ確実に定量的な目安を用いて目視観察できるようになり、これにより、取替時期を簡易かつ確実に判別することができるシーブと、このシーブを備えるつり上げ装置とを提供することができる。
【００３４】
なお、本実施の形態とは異なり、樹脂製の磨耗識別部材１６を、二つの側壁部１５−１、１５−２のいずれにも設けることにより、シーブの使用面の区別が必要なくなるとともに、磨耗具合によってシーブの設置向きを反対にすることにより使用面の磨耗を左右対称にして、シーブの寿命を延ばすことも可能である。
【符号の説明】
【００３５】
０  つり上げ装置
１  ワイヤー巻取りドラム
２  ワイヤー
３〜５  シーブ
１０  シーブ
１１  本体
１２  シーブ股部
１２ａ  外面
１３  溝部
１４  底部
１５−１、１５−２  側壁部
１６  磨耗識別部材
１７  領域
【図１】
2010159094.tif 000003
【図２】
2010159094.tif 000004